(57)【要約】      （修正有）【課題】作業員が蓋体を管体に置くだけで組み立てることができ蓋体の組立もしくは取外しが便利であるアニマルキャリーベッドを提供する。【解決手段】アニマルキャリーベッドは、管体１００及び蓋体２００を含む。管体１００の一端にはエレクトロガスアダプタ１１０を設置し、管体１００の側面には開口１０２を形成し、開口１０２は管体１００の縦方向に平行に延び、且つ管体１００には第一磁気吸引部品１３０を設置する。蓋体２００は開口１０２を遮蔽し、且つ蓋体２００には第一磁気吸引部品１３０に対応して吸着する第二磁気吸引部品２３０を設置する。これらに拠って蓋体２００を管体１００に磁力吸引して組み立てる。【選択図】図１
0003213728.tif 000002
【実用新案登録請求の範囲】
【請求項１】
アニマルキャリーベッドにおいて、
一端にはエレクトロガスアダプタを設置し、該管体の側面には開口を形成し、該開口は該管体の縦方向に対して平行に延び、且つ第一磁気吸引部品を設置する管体と、
該開口を遮蔽し、且つ該第一磁気吸引部品に対応して吸着する第二磁気吸引部品を設置する蓋体を含むことを特徴とするアニマルキャリーベッド。
【請求項２】
前記管体の側面に定位面を成形し、該定位面は平面で且つ該蓋体の辺縁を押さえることを特徴とする請求項１記載のアニマルキャリーベッド。
【請求項３】
前記管体の側面に定位面を成形し、該定位面は、該蓋体の内側面に貼着することを特徴とする請求項１記載のアニマルキャリーベッド。
【請求項４】
前記蓋体は、該管体外形の細長円弧面状と相互に対応し、該定位面は該蓋体の一端に貼着し、且つ該第二磁気吸引部品は、該蓋体の別一端に設置することを特徴とする請求項３記載のアニマルキャリーベッド。
【請求項５】
前記定位面は該蓋体外形の円弧面と対応することを特徴とする請求項３記載のアニマルキャリーベッド。
【請求項６】
前記管体には挟持爪を設置し、該挟持爪と該定位面は相対して配置し該蓋体を挟持することを特徴とする請求項３記載のアニマルキャリーベッド。
【請求項７】
前記挟持爪は該定位面に対して平行に延びることを特徴とする請求項６記載のアニマルキャリーベッド。
【請求項８】
前記第一磁気吸引部品及び該第二磁気吸引部品は、該管体の縦方向に平行で相互に磁気吸引にすることを特徴とする請求項１記載のアニマルキャリーベッド。
【請求項９】
前記蓋体は円弧蓋を備え、該円弧蓋は細長形状で、該定位面は該円弧蓋の一端に貼着し、該円弧蓋の別一端は端蓋を設置し、且つ該第二磁気吸引部品は該端蓋に設置することを特徴とする請求項１記載のアニマルキャリーベッド。
【請求項１０】
前記第一磁気吸引部品は、該管体の別一端に設置し、該エレクトロガスアダプタと相対して設置することを特徴とする請求項９記載のアニマルキャリーベッド。
【請求項１１】
前記端蓋は、該管体の該エレクトロガスアダプタに相対する端の外端面を遮蔽することを特徴とする請求項９記載のアニマルキャリーベッド。
【請求項１２】
前記外端面には第一定位構造を設置し、該端蓋の内側面には第二定位構造を設置し且つ該第一定位構造と該第二定位構造は対応して掛合することを特徴とする請求項１１記載のアニマルキャリーベッド。
【請求項１３】
前記第一定位構造と該第二定位構造は該管体の縦方向に平行し相互に嵌合することを特徴とする請求項１２記載のアニマルキャリーベッド。
【請求項１４】
前記管体には、該第一磁気吸引部品と隣接する第一定位構造を設置し、該蓋体には該第二磁気吸引部品と隣接する第二定位構造を設置し、且つ該第一定位構造は該第二定位構造と対応して嵌合することを特徴とする請求項１記載のアニマルキャリーベッド。
【請求項１５】
前記第一定位構造と該第二定位構造は該管体の縦方向に対して平行し相互に嵌合することを特徴とする請求項１４記載のアニマルキャリーベッド。
【請求項１６】
前記第一磁気吸引部品及び該第一定位構造は相互に連接することを特徴とする請求項１４記載のアニマルキャリーベッド。
【請求項１７】
前記第二磁気吸引部品及び該第二定位構造は相互に連接することを特徴とする請求項１４記載のアニマルキャリーベッド。
【請求項１８】
前記第一磁気吸引部品と該第二磁気吸引部品の少なくともどちらか一つは磁石であることを特徴とする請求項１記載のアニマルキャリーベッド。
【考案の詳細な説明】
【技術分野】
【０００１】
本考案は、生物スキャナーに関するもので、特に磁気吸引式組立構造を備えたアニマルキャリーベッドに係る。
【背景技術】
【０００２】
一般に小動物をスキャンするのに用いられる生物スキャナーの多くはキャリーベッドで動物を運び、キャリーベッドをスキャナーに設置してスキャンする。キャリーベッドは一般的にキャビティ形状で、動物をその内部に入れキャリーベッド内に麻酔の気体を注入して動物に麻酔をかける。
【先行技術文献】
【特許文献】
【０００３】
【特許文献１】特開平１１−１６０６４３号公報
【考案の概要】
【考案が解決しようとする課題】
【０００４】
解決しようとする問題点は、作業員が動物をキャリーベッドに入れた後、キャリーベッドの外蓋を施錠しなければならないので操作が不便である点である。
【０００５】
本考案者は、従来技術を研究し、上述の問題を解決することを本考案の課題とする。
【課題を解決するための手段】
【０００６】
本考案は、管体及び蓋体を含む。管体の一端にはエレクトロガスアダプタを設置し、管体の側面には開口を形成し、開口は管体の縦方向に平行に延び、且つ管体には第一磁気吸引部品を設置する。蓋体は開口を遮蔽し、且つ蓋体には第一磁気吸引部品に対応して吸着する第二磁気吸引部品を設置する。これらに拠って蓋体を管体に磁力吸引して組み立てることを最も主要な特徴とする。
【考案の効果】
【０００７】
本考案のアニマルキャリーベッドは、作業員が蓋体を管体に置くだけで組み立てることができ、手動で固定する必要がなく、蓋体の組立もしくは取外しが便利であるという利点がある。
【図面の簡単な説明】
【０００８】
【図１】本考案の実施例のアニマルキャリーベッドの立体分解指示図である。
【図２】本考案の実施例のアニマルキャリーベッドの立体指示図である。
【図３】本考案の実施例のアニマルキャリーベッドの局部断面図である。
【考案を実施するための形態】
【０００９】
本考案は、磁気吸引式組立構造を備えたアニマルキャリーベッドを提供する。
【００１０】
本考案は、アニマルキャリーベッドを提供し、それは管体及び蓋体を含む。管体の一端にはエレクトロガスアダプタを設置し、管体の側面には開口を形成し、開口は管体の縦方向に平行に延び、且つ管体には第一磁気吸引部品を設置する。蓋体は開口を遮蔽し、且つ蓋体には第一磁気吸引部品に対応して吸着する第二磁気吸引部品を設置する。
【００１１】
本考案のアニマルキャリーベッドは、その管体の側面に定位面を成形し、定位面は平面で且つ蓋体の辺縁を押さえる。管体の側面には定位面を成形し、定位面は蓋体の内側面に貼着する。蓋体は管体外形の細長円弧面状に対応し、定位面は蓋体の一端に貼着し、且つ第二磁気吸引部品は蓋体の別一端に設置する。定位面は蓋体外形の円弧面に対応する。管体には挟持爪を設置し、挟持爪と定位面は相対して配置し、蓋体を挟持する。挟持爪は定位面に対して平行に延びる。
【００１２】
本考案のアニマルキャリーベッドの第一磁気吸引部品及び第二磁気吸引部品は、管体の縦方向に対して平行で相互に磁気吸引する。
【００１３】
本考案のアニマルキャリーベッドの蓋体は円弧蓋を備え、円弧蓋は細長形状で、定位面は、円弧蓋の一端に貼着し、円弧蓋の別一端は端蓋を設置し、且つ第二磁気吸引部品は端蓋に設置する。第一磁気吸引部品は、管体の別一端に設置し、エレクトロガスアダプタと相対して配置する。端蓋は管体のエレクトロガスアダプタの相対する端の外端面を遮蔽する。外端面は第一定位構造を設置し、端蓋の内側面には第二定位構造を設置し、且つ第一定位構造と第二定位構造は対応して嵌合する。第一定位構造と第二定位構造は管体の縦方向に対して平行で相互に嵌合する。
【００１４】
本考案のアニマルキャリーベッドの管体には第一磁気吸引部品と隣接する第一定位構造を設置し、蓋体には第二磁気吸引部品と隣接する第二定位構造を設置し、且つ第一定位構造と第二定位構造は対応して嵌合する。第一定位構造と第二定位構造は、管体の縦方向に対して平行で相互に嵌合する。第一磁気吸引部品及び第一定位構造は相互に連接する。第二磁気吸引部品及び第二定位構造は相互に連接する。
【００１５】
本考案のアニマルキャリーベッドの第一磁気吸引部品と第二磁気吸引部品の少なくともどちらかは磁石である。
【００１６】
本考案のアニマルキャリーベッドの第一磁気吸引部品と第二磁気吸引部品は相互に磁気吸引し、蓋体を管体に磁気吸引して組み立てる。
【実施例】
【００１７】
図１から図３に示すとおり、本考案の良好な実施例はアニマルキャリーベッドを提供し、該アニマルキャリーベッドは動物を載せ、且つスキャナーに連接し、内部の動物をスキャンするのに用いる。本考案のアニマルキャリーベッドは、管体１００及び蓋体２００を含む。
【００１８】
管体１００内にはキャリー室１０１を形成し動物を入れる。管体１００の一端はエレクトロガスアダプタ１１０を設置し、管体１００の別一端は第一磁気吸引部品１３０を設置する。本実施例において、第一磁気吸引部品１３０は管体１００内部に埋設する。エレクトロガスアダプタ１１０はスキャナーを連接するものでキャリー室１０１内の動物をスキャンする。エレクトロガスアダプタ１１０は同時に麻酔エアを連接してキャリー室１０１内の動物に麻酔をかけ、及び加熱エアを連接してキャリー室１０１を加熱する。管体１００には少なくとも一第一定位構造１４０ａ、１４０ｂを設置し、第一定位構造１４０ａ、１４０ｂと第一磁気吸引部品１３０は隣接して配置し且つ管体１００の外端面上に設置するのが良い。第一定位構造１４０ａ、１４０ｂも第一磁気吸引部品１３０と相互に連接して配置する。
【００１９】
管体１００の側面は、開口１０２を形成してそこから動物をキャリー室１０１に置く。本実施例において、管体１００の良好なものは半円管形状で、その一側に開口１０２を形成する。開口１０２の良好なものとして管体１００の縦方向に(longitudinal)平行で管体１００の二端の間に延びる。管体１００の側面では少なくとも一定位面１０３ａ、１０３ｂを成形する。本実施例において、良好なものは開口１０２二側の辺縁にそれぞれ平面の定位面１０３ａを成形する。開口１０２二端の辺縁の外には、それぞれ円弧面の定位面１０３ｂを成形する。
【００２０】
蓋体２００は、開口１０２を遮蔽するのに用い、且つ蓋体２００には第一磁気吸引部品１３０に対応する第二磁気吸引部品２３０を設置し、第一磁気吸引部品１３０と第二磁気吸引部品２３０の少なくともどちらか一つは磁石であり、別の一つは磁石もしくは鉄である。拠って、第一磁気吸引部品１３０と第二磁気吸引部品２３０は相互に吸着する。
【００２１】
蓋体２００は、管体１００外形に対応する細長円弧面状で、本実施例において、蓋体２００の良好なものとして円弧蓋２１０を備える。円弧蓋２１０は細長形状で、管体１００外形と相互に補う半円管を構成し、且つ円弧蓋２１０の一端には端蓋２２０を設置する。前述の第二磁気吸引部品２３０は端蓋２２０の内側面に設置し、該端蓋２２０上には各第一定位構造１４０ａ、１４０ｂに対応するように、それぞれ第二定位構造２４０ａ、２４０ｂを設置する。本実施例において、端蓋２２０の内側面の良好なものとして第二定位構造２４０ａを設置し、端蓋２２０の辺縁上には第二定位構造２４０ｂを設置し、且つ第二定位構造２４０ａ、２４０ｂに隣接して第二磁気吸引部品２３０を配置し、第二定位構造２４０ａには更に第二磁気吸引部品２３０と相互連接して配置する。本実施例において、第一定位構造１４０ａ、１４０ｂと第二定位構造２４０ａ、２４０ｂの良好なものとして、管体１００の縦方向に対して平行に配置した?と相対する孔もしくは槽である。拠って各第一定位構造１４０ａ、１４０ｂと対応する第二定位構造２４０ａ、２４０ｂは、管体１００の縦方向に対してそれぞれ相互に嵌合する。
【００２２】
円弧蓋２１０の二端の内側外形と対応する各円弧面の定位面１０３ｂは相互に対応し、蓋体２００が開口１０２にある時、円弧蓋２１０の二端の内側は、それぞれ管体１００上の各円弧面の定位面１０３ｂに貼着し、且つ円弧蓋２１０の二側辺縁はそれぞれ管体１００の開口１０２二側辺縁の各平面の定位面１０３ａを押さえる。端蓋２２０は管体１００上のエレクトロガスアダプタ１１０の相対端の外端面を遮蔽する。同時に各第一定位構造１４０ａ、１４０ｂと相互に対応する第二定位構造２４０ａ、２４０ｂは、管体１００の縦方向に対して平行で相互に嵌合する。管体１００及び蓋体２００の円周方向に於いて蓋体２００を定位し、蓋体２００は回転しない。そのうち、蓋体２００は軸方向に管体１００の外端面から平面の定位面１０３ａに沿って滑動し、端蓋２２０で抵接管体１００の外端面を押さえ、円弧蓋２１０内側面が円弧面の定位面１０３ｂを押さえ、且つ端蓋２２０に相対する別一端辺縁がエレクトロガスアダプタ１１０に近い箇所を押さえ、前述の該復数の定位構造の嵌合及び磁気吸引部品の吸着によって管体１００と蓋体２００が容易に蓋閉じによって固定し、緊密に合わさった納置空間を形成する。
【００２３】
前述実施例は本考案のアニマルキャリーベッドの良好な実施方式として、最も簡単な実施方式は、管体１００上の異なる二箇所にそれぞれ単一の定位面１０３ａ、１０３ｂ及び第一磁気吸引部品１３０を配置する。定位面１０３ａ、１０３ｂが蓋体２００の一箇所を定位することで(本実施例において円弧蓋２１０の一端とする)、第一磁気吸引部品１３０及び第二磁気吸引部品２３０が蓋体２００の別一箇所(本実施例においては円弧蓋２１０別一端に位置する端蓋２２０とする)を相互に磁気吸引して定位する。作業員は蓋体２００を管体１００に置くだけで、蓋体２００を磁気吸引して定位し、蓋体２００を管体１００に組み立てることができ、手動で固定する必要がなく、蓋体２００の組立もしくは取外しが便利である。
【００２４】
第一磁気吸引部品１３０及び第二磁気吸引部品２３０が蓋体２００の各方向から固定力で定位する。但し、定位面１０３ａ、１０３ｂは、蓋体２００の横方向(lateral)で単方向(外向き)の支持力を提供するだけである。前述の実施例では、定位面１０３ａ、１０３ｂは上向きに配置し、重力によって蓋体２００を内向きに固定するが、良好なものとして、管体１００上とエレクトロガスアダプタ１１０の同端に設置する定位面１０３ａ、１０３ｂは、少なくとも一挟持爪１２０を選択式で設置する。本実施例において挟持爪１２０は良好なものの一つであるが、本考案では設置数を限定しない。挟持爪１２０と該円弧面の定位面１０３ｂは相対配置して蓋体２００の内向き固定力を提供し、円弧蓋２１０を挟持して円弧蓋２１０が外向きに脱落するのを防止する。本考案は挟持爪１２０の形式を限定せず、例として、挟持爪１２０は円弧面の定位面１０３ｂに平行に延びる円弧形爪でもよい。その他、本考案は挟持爪１２０の形式を限定せず、例として、挟持爪１２０は定位片の形式でもよく、円弧蓋２１０上には定位片に相対嵌合する凹槽(図未提示)を設置して対応させても良い。
【００２５】
以上は本考案の良好な実施例であり、本考案の請求範囲を制限するものではなく、その他本考案の特許精神に基づく同効果の変化はすべて本考案の請求項に属するものとする。
【符号の説明】
【００２６】
１００     管体
１０１     キャリー室
１０２     開口
１０３ａ    定位面
１０３ｂ 定位面
１１０     エレクトロガスアダプタ
１２０      挟持爪
１３０      第一磁気吸引部品
１４０ａ    第一定位構造
１４０ｂ 第一定位構造
２００      蓋体
２１０  円弧蓋
２２０      端蓋
２３０      第二磁気吸引部品
２４０ａ    第二定位構造
２４０ｂ 第二定位構造
【図１】
0003213728.tif 000003
【図２】
0003213728.tif 000004
【図３】
0003213728.tif 000005
【手続補正書】
【提出日】平成29年10月2日(2017.10.2)
【手続補正１】
【補正対象書類名】実用新案登録請求の範囲
【補正対象項目名】請求項９
【補正方法】変更
【補正の内容】
【請求項９】
前記蓋体は円弧蓋を備え、該円弧蓋は細長形状で、該定位面は該円弧蓋の一端に貼着し、該円弧蓋の別一端は端蓋を設置し、且つ該第二磁気吸引部品は該端蓋に設置することを特徴とする請求項２記載のアニマルキャリーベッド。